(57)【特許請求の範囲】
【請求項１】
スロット毎に収納された挿抜可能な伝送装置の複数のユニットに、各スロット内に設けた通風口からファンによる冷却風の通風を行うシェルフであって、
各スロット内に前記通風口を開閉するスライド板を配設すると共に、当該スライド板に前記ユニットを係止する係止部材を設けて、ユニットの挿抜に連動してスライド板をスライド可能に構成し、
前記スロットからのユニットの抜去により、前記スライド板で前記通風口を閉鎖し、前記スロットへのユニットの挿入により、前記スライド板で前記通風口を開放し、
前記係止部材は、スライド板の挿入側先端に形成された係止片で、当該スライド板とシェルフの背面側側壁との間に、当該スライド板を押圧付勢するスプリングが張架されることを特徴とするシェルフの冷却風漏出防止構造。
【請求項２】
スロット毎に収納された挿抜可能な伝送装置の複数のユニットに、各スロット内に設けた通風口からファンによる冷却風の通風を行うシェルフであって、
各スロット内に前記通風口を開閉するスライド板を配設すると共に、当該スライド板に前記ユニットを係止する係止部材を設けて、ユニットの挿抜に連動してスライド板をスライド可能に構成し、
前記スロットからのユニットの抜去により、前記スライド板で前記通風口を閉鎖し、前記スロットへのユニットの挿入により、前記スライド板で前記通風口を開放し、
前記係止部材は、スロットへのユニットの挿入時に、当該スロットの挿入側先端を挟持する一対の弾性挟持片が形成された弾性挟持部材であることを特徴とするシェルフの冷却風漏出防止構造。
【請求項３】
スロット毎に収納された挿抜可能な伝送装置の複数のユニットに、各スロット内に設けた通風口からファンによる冷却風の通風を行うシェルフであって、
各スロット内に前記通風口を開閉するスライド板を配設すると共に、当該スライド板に前記ユニットを係止する係止部材を設けて、ユニットの挿抜に連動してスライド板をスライド可能に構成し、
前記スロットからのユニットの抜去により、前記スライド板で前記通風口を閉鎖し、前記スロットへのユニットの挿入により、前記スライド板で前記通風口を開放し、
前記係止部材は、ヒンジを介してスライド板とシェルフの背面側側壁との間に装着され、ユニットの挿入時に上方へ屈曲し、ユニットの抜去時に伸張するリンク機構で、
前記ユニットの底部に、上方へ屈曲するリンク機構が係止する凹部が形成されると共に、ユニットの後端側に、スロットへの挿入時にスライド板に係止する突片が形成されていることを特徴とするシェルフの冷却風漏出防止構造。
【発明の詳細な説明】
【技術分野】
【０００１】
本発明はシェルフの冷却風漏出防止構造に係り、詳しくはユニット非実装スロットからの冷却風の漏出を防止するシェルフの冷却風漏出防止構造に関する。
【背景技術】
【０００２】
今日、伝送装置は、故障リスクの分散と故障箇所の迅速な保守のために、また、装置の機能を容易に拡張できるようにするために、通信機能を持たせた装置を複数のユニットに分割して、個別にシェルフのスロットに挿抜する機構を持たせている。また、ユニットには半導体などの電子部品が実装されているため、これらの電子部品からの発熱を冷却するため、シェルフにファンユニットを装着し、ファンの通風によってこれらの電子部品を冷却している。
【０００３】
ユニットに対する冷却は、冷却効率が均一になるように構成されることが重要であるが、例えば保守のため、図９の如くシェルフ１に実装された複数のユニット３から一つのユニット（図示せず）を抜き去ると、ユニット非実装スロット（ユニット抜去箇所の空きスロット）５が開口部となって、ファン（図示せず）からの冷却風Ｗの大部分が外部に漏れてしまい、周辺に実装されたユニット３の冷却を妨げる問題があった。
【０００４】
そこで、従来では、作業者がユニットの抜去時にフィラーと呼ばれる蓋をユニット非実装スロットの開口部に取り付けて、冷却風の漏れを防いでいる。
【０００５】
また、特許文献１には、図１０〜図１２に示すように上枠７と下枠９とを有する収納枠１１と、上枠７と下枠９とに対向するよう配設されるガイドレール１３と、ガイドレール１３の案内によって挿抜自在なユニット１５とを備え、複数のユニット１５を収納枠１１に収納して、ユニット１５のそれぞれに冷却風Ｗの通風を行うシェルフ１７に改良を加え、ユニット１５の抜去によって冷却風Ｗの通風を遮断する閉塞状態を形成し、ユニット１５の挿入によって冷却風Ｗの通風を開放する開放状態を形成するよう、ガイドレール１３に沿って伸縮されるジャバラ１９を上枠７と下枠９とに配設したシェルフ１７が開示されている。尚、図１０中、２１、２３は上枠７と下枠９に配設したファンユニットである。
【先行技術文献】
【特許文献】
【０００６】
【特許文献１】特開平７−２３１１８６号公報
【発明の概要】
【発明が解決しようとする課題】
【０００７】
しかし乍ら、前記フィラーは管理が煩雑であり、また、作業ミスにより取り付けを忘れる虞があった。
【０００８】
一方、図１０以下に示したシェルフ１７は、収納枠１１の上下に、厚みのあるジャバラ１９を収容する上枠７と下枠９を設ける構造上、シェルフ１７全体が大型化してしまう欠点がある。即ち、伝送装置は大きさが決まっており、構造の実装容積が限られているため、収納枠１１を所定容積以下に小型化することができない。このため、収納枠１１の上下に上枠７、下枠９を設けることで、シェルフ１７全体が大型化してしまうこととなる。
【０００９】
また、図示しないが上枠７と下枠９に配設したジャバラ１９間には通風路が形成され、下枠９に配設されたジャバラ１９には取入口が形成されており、図１１に示すようにユニット１５が抜去された時に、取入口から冷却風が下枠９に配設されたジャバラ１９に取り込まれると同時に、冷却風が通風路を介して上枠７側のジャバラ１９に送風されて両方のジャバラ１９が伸延する複雑な構成となっているため、保守に手間がかかり、また、製造コストも高くなってしまう不具合が指摘されている。
【００１０】
本発明は斯かる実情に鑑み案出されたもので、ユニット非実装スロットからの冷却風の漏出を防止すると共に、構造が簡単で保守の手間がかからないシェルフの冷却風漏出防止構造を提供することを目的とする。
【課題を解決するための手段】
【００１１】
斯かる目的を達成するため、本発明に係るシェルフの冷却風漏出防止構造は、スロット毎に収納された挿抜可能な伝送装置の複数のユニットに、各スロット内に設けた通風口からファンによる冷却風の通風を行うシェルフであって、各スロット内に前記通風口を開閉するスライド板を配設すると共に、当該スライド板に前記ユニットを係止する係止部材を設けて、ユニットの挿抜に連動してスライド板をスライド可能に構成し、前記スロットからのユニットの抜去により、前記スライド板で前記通風口を閉鎖し、前記スロットへのユニットの挿入により、前記スライド板で前記通風口を開放し、前記係止部材は、スライド板の挿入側先端に形成された係止片で、当該スライド板とシェルフの背面側側壁との間に、当該スライド板を押圧付勢するスプリングが張架されることを特徴とする。
【００１２】
また、本発明に係るシェルフの冷却風漏出防止構造は、スロット毎に収納された挿抜可能な伝送装置の複数のユニットに、各スロット内に設けた通風口からファンによる冷却風の通風を行うシェルフであって、各スロット内に前記通風口を開閉するスライド板を配設すると共に、当該スライド板に前記ユニットを係止する係止部材を設けて、ユニットの挿抜に連動してスライド板をスライド可能に構成し、前記スロットからのユニットの抜去により、前記スライド板で前記通風口を閉鎖し、前記スロットへのユニットの挿入により、前記スライド板で前記通風口を開放し、前記係止部材は、スロットへのユニットの挿入時に、当該スロットの挿入側先端を挟持する一対の弾性挟持片が形成された弾性挟持部材であることを特徴とする。
【００１３】
また、本発明に係るシェルフの冷却風漏出防止構造は、スロット毎に収納された挿抜可能な伝送装置の複数のユニットに、各スロット内に設けた通風口からファンによる冷却風の通風を行うシェルフであって、各スロット内に前記通風口を開閉するスライド板を配設すると共に、当該スライド板に前記ユニットを係止する係止部材を設けて、ユニットの挿抜に連動してスライド板をスライド可能に構成し、前記スロットからのユニットの抜去により、前記スライド板で前記通風口を閉鎖し、前記スロットへのユニットの挿入により、前記スライド板で前記通風口を開放し、前記係止部材は、ヒンジを介してスライド板とシェルフの背面側側壁との間に装着され、ユニットの挿入時に上方へ屈曲し、ユニットの抜去時に伸張するリンク機構で、前記ユニットの底部に、上方へ屈曲するリンク機構が係止する凹部が形成されると共に、ユニットの後端側に、スロットへの挿入時にスライド板に係止する突片が形成されていることを特徴とする。
【発明の効果】
【００１５】
本発明に係る冷却風漏出防止構造によれば、ユニット非実装スロットへのファンによ
る冷却風の流入が遮断されるため、ユニットを抜去したユニット非実装スロットの開口部
から冷却風が外部に漏れてしまうことがない。
【００１６】
従って、他のスロットに実装されたユニットの冷却を妨げる虞がなく、また、ユニットの挿抜に伴い、スライド板によって通風口が自動的に開閉される結果、ユニット非実装スロットからの冷却風漏れを確実に防止することが可能である。
【００１７】
そして、薄肉なスライド板をスライド可能に配置した構造上、シェルフが大型化することがなく、また、構造が極めて簡単で保守に手間がかかることがなく、製造コストも安いといった利点を有する。
【図面の簡単な説明】
【００１８】
【図１】本発明の一実施形態に係る冷却風漏出防止構造を備えたシェルフの全体斜視図である。
【図２】冷却風漏出防止構造の動作を説明する平面図である。
【図３】冷却風漏出防止構造の動作を説明する平面図である。
【図４】図１のシェルフの断面図である。
【図５】本発明における別の実施形態に係る冷却風漏出防止構造に用いる挟持部材の正面図、平面図、側面図である。
【図６】冷却風漏出防止構造の動作を説明する要部平面図である。
【図７】本発明における別の実施形態に係る冷却風漏出防止構造に用いるリンク機構の動作を説明する側面図である。
【図８】冷却風漏出防止構造の動作を説明する要部側面図である。
【図９】従来のシェルフの全体斜視図である。
【図１０】冷却風漏出防止構造を備えた従来のシェルフの全体斜視図である。
【図１１】冷却風漏出防止構造の動作を示す図１０のシェルフの断面図である。
【図１２】冷却風漏出防止構造の動作を示す図１０のシェルフの断面図である。
【発明を実施するための形態】
【００１９】
以下、本発明の実施形態を図面に基づいて詳細に説明する。
【００２０】
図１乃至図４は、本発明の一実施形態を示し、図１に於て、３１はシェルフで、シェルフ３１には、機能分割された伝送装置の複数のユニット（図４中、符号３３）を収容する複数のスロット３５が隔壁３７によって区画形成されている。そして、各スロット３５の底部３９に平面視矩形状の挿通穴４１が形成され、図４に示すようにシェルフ３１の下側に、各スロット３５に冷却風を通風するファンユニット４３が装着されている。
【００２１】
図２乃至図４は本実施形態に係る冷却風漏出防止構造４５の詳細を示し、図２に於て、４７は前記挿通穴４１に嵌め込まれた薄肉な固定板で、固定板４７には３個の平面視矩形状の通風口４９が等間隔に開口している。
【００２２】
更に、固定板４７上には、当該固定板４７と同一寸法の薄肉なスライド板５１が配設され、スライド板５１には、前記通風口４９に対応して同一寸法の通風口５３が同じ位置に設けられている。そして、図３に示すように固定板４７とスライド板５１の四隅が一致すると、両通風口４９、５３が重なって開口し、また、図２に示すようにスライド板５１を矢印Ａ方向（ユニット３３の抜去方向）へスライドさせると、スライド板５１によって固定板４７側の通風口４９が次第に閉じられるようになっている。
【００２３】
そして、スライド板５１は、スロット３５の底部３９に設けた左右一対のガイド部材５５で案内、保持されており、斯様にスライド板５１がガイド部材５５で保持される結果、ファンからの通風でスライド板５１が上方へ吹き飛ばされることがない。
【００２４】
一方、図２乃至図４に示すようにスライド板５１の挿入側先端には、上方へ折曲した係止片（係止部材）５７が設けられ、更に、スライド板５１とシェルフ３１の背面側側壁に装着したバックワイヤボード５９との間に、スライド板５１を矢印Ａ方向へ押圧付勢するスプリング６１が張架されており、スロット３５からユニット３３が抜去されると、図２に示すようにスライド板５１はスプリング６１のバネ力で矢印Ａ方向へ移動して、スライド板５１が固定板４７側の通風口４９を閉じるようになっている。
【００２５】
そして、図４に示すようにスロット３５内にユニット３３を挿入していくと、ユニット３３の挿入側先端が係止片５７に係止し、この状態でスプリング６１のバネ力に抗してユニット３３を更に挿入していくと、スライド板５１が図２中、矢印Ｂ方向へ移動する。そして、ユニット３３がスロット３５内に収納されて、ユニット３３側のコネクタ６３がバックワイヤボード５９側のコネクタ（図示せず）に接続されると、図３に示すように固定板４７とスライド板５１の四隅が一致して、両通風口４９、５３が重なるように構成されている。
【００２６】
更に、この状態でスロット３５からユニット３３を抜き去ると同時に、図２の如く再びスプリング６１のバネ力でスライド板５１が矢印Ａ方向へ移動して、スライド板５１が固定板４７側の通風口４９を閉じるようになっている。その他、図２中、６５はユニット３３の挿抜時に当該ユニット３３を案内するガイドレールである。また、図示しないがシェルフ３１の上面には排気穴が設けられている。
【００２７】
本実施形態に係る冷却風漏出防止構造４５はこのように構成されているから、スロット３５内にユニット３３が収納されていない状態では、図２に示すようにスライド板５１がスプリング６１のバネ力で矢印Ａ方向へ移動して、スライド板５１が固定板４７側の通風口４９を閉じている。
【００２８】
そして、図４に示すように各スロット３５にユニット３３を挿入していくと、スロット３５内でユニット３３の挿入側先端が係止片５７に係止し、この状態でスプリング６１のバネ力に抗してユニット３３を更に挿入していくと、スライド板５１が図２中、矢印Ｂ方向へ移動する。そして、ユニット３３がスロット３５内に収納されてコネクタ６３がバックワイヤボード５９側のコネクタに接続されると、図３に示すように固定板４７とスライド板５１の四隅が一致して、両通風口４９、５３が重なることとなる。
【００２９】
このため、ファンユニット４３のファンが駆動すると、ファンからの冷却風が通風口４９、５３を通ってスロット３５内に流入し、ユニット３３が冷却されることとなる。そして、ユニット３３を冷却した冷却風は、シェルフ３１の上面に設けた排気穴から排気される。
【００３０】
また、ファンからの冷却風によって各スロット３５内のユニット３３が冷却されている状態で、例えば保守のために一つのユニット３３を抜去していくと、これと同時に、図２の如く再びスプリング６１のバネ力でスライド板５１が矢印Ａ方向へ移動して、スライド板５１が固定板４７側の通風口４９を閉じることとなる。
【００３１】
この結果、ユニット非実装スロット３５へのファンからの冷却風の流入が遮断され、ユニット３３を抜去したユニット非実装スロット３５の開口部から冷却風が外部に漏れてしまうことがない。
【００３２】
従って、本実施形態によれば、他のスロット３５に実装されたユニット３３の冷却を妨げる虞がなくなり、また、ユニット３３の挿抜に伴い、スライド板５１によって固定板４７の通風口４９が自動的に開閉される結果、ユニット非実装スロット３５からの冷却風漏れを確実に防止することが可能である。
【００３３】
更に、本実施形態は、薄肉な固定板４７上に薄肉なスライド板５１をスライド可能に配置した構造上、図１０以下の従来例に比しシェルフ３１が大型化することがなく、また、この従来例に比し構造が極めて簡単で保守に手間がかかることがなく、更に、製造コストも安いといった利点を有する。
【００３４】
図５及び図６は、本発明の別の実施形態に係る冷却風漏出防止構造を示し、この実施形態では、前記係止片５７とスプリング６１に代え、スライド板５１の挿入側先端に、図５の如きゴム製の挟持部材（係止部材）６７を装着したものである。尚、発明部分を除くその他の構成は、上述した実施形態と同一であるため、同一のものには同一符号を付してそれらの説明は省略する。
【００３５】
図５(a)、(b)、(c)の正面図、平面図、側面図に示すように挟持部材６７は、スライド板５１上に貼着された直方体形状の基台６９と、当該基台６９の左右に沿ってその上面に一体形成された平面視台形形状の一対の弾性挟持片７１、７３とからなり、図５及び図６に示すように両弾性挟持片７１、７３の間隔７５は、ユニット挿入方向へ順次幅狭とされている。そして、図６に示すようにスロット３５内にユニット３３を挿入していくと、ガイドレール６５に案内されてユニット３３の挿入側先端が弾性挟持片７１、７３の間隔７５に挿入され、両弾性挟持片７１、７３で軽く挟持されるようになっている。
【００３６】
従って、更にユニット３３をスロット３５内に挿入していくと、これに連動してスライド板５１がユニット挿入方向へ移動し、ユニット３３がスロット３５内に収納されてコネクタ６３がバックワイヤボード５９側のコネクタに接続されると、前記実施形態と同様、固定板４７とスライド板５１が一致して通風口４９、５３が重なるようになっている。そして、このとき、ユニット３３の挿入側先端は両弾性挟持片７１、７３で強固に挟持される。
【００３７】
また、この状態でスロット３５からユニット３３を抜去していくと、これに連動してスライド板５１がユニット抜去方向へ移動して、固定板４７側の通風口４９を閉じるようになっている。尚、ユニット３３がスロット３５から抜去されると、スライド板５１はユニット非実装スロット３５の開口部側に移動したままである。
【００３８】
そして、この後、再びスロット内にユニット３３を挿入していくと、既述したようにガイドレール６５に案内されてユニット３３の挿入側先端が弾性挟持片７１、７３の間隔７５に挿入され、両弾性挟持片７１、７３で軽く挟持されることとなる。
【００３９】
本実施形態に係る冷却風漏出防止構造７７はこのように構成されているから、ユニット非実装スロット３５へのファンからの冷却風の流入が遮断され、ユニット３３を抜去したユニット非実装スロット３５の開口部から冷却風が外部に漏れてしまうことがない。
【００４０】
従って、本実施形態によっても、前記実施形態と同様、所期の目的を達成することが可能で、他のスロット３５に実装されたユニット３３の冷却を妨げる虞がなく、また、ユニット３３の挿抜に伴い、スライド板５１によって固定板４７の通風口４９が自動的に開閉される結果、ユニット非実装スロット３５からの冷却風漏れを確実に防止することが可能である。
【００４１】
そして、薄肉な固定板４７上に薄肉なスライド板５１をスライド可能に配置した構造上、図１０以下の従来例に比しシェルフ３１が大型化することがなく、また、この従来例に比し構造が極めて簡単で保守に手間がかかることがなく、製造コストも安いといった利点を有する。
【００４２】
図７及び図８は、本発明の別の実施形態に係る冷却風漏出防止構造を示し、この実施形態は、上述した挟持部材６７に代え、ヒンジ７９を介してスライド板５１とバックワイヤボード５９との間に、３本のステー８１、８３、８５からなるリンク機構８７を設けたことを特徴としている。
【００４３】
尚、本実施形態も、発明部分を除くその他の構成は図１の実施形態と同一であるため、同一のものには同一符号を付してそれらの説明は省略する。
【００４４】
図７(a)、(b)、(c)は、夫々、ユニット３３の非実装時、挿入時、実装時のリンク機構８７の動作を示す側面図で、図７(a)に示すようにリンク機構８７は、ユニット３３の非実装状態で伸張している。但し、図示するようにリンク機構８７には若干の遊びＬが設けられている。そして、図７(b)、(c)に示すようにリンク機構８７が矢印Ｃ方向（ユニット挿入方向）へ押圧されると、２本のステー８１、８３の連結部が上方へ移動して、リンク機構８７全体が上方へ屈曲するように構成されている。
【００４５】
一方、図８に示すようにユニット３３-1の底部には、図７(c)の如く上方へ屈曲したリンク機構８７が係止する凹部８９が形成されると共に、ユニット３３-1の後端側に、スロット３５への挿入時にスライド板５１の後端側に係止する突片９１が形成されている。
【００４６】
そして、スロット内にユニット３３-1を挿入していくと、突片９１がスライド板５１の後端側に係止するため、ユニット３３-1の移動に伴い、リンク機構８７は図７(a)から図７(b)の如く上方へ順次屈曲する。そして、ユニット３３-1がスロット３５内に収納されてコネクタ６３がバックワイヤボード５９側のコネクタに接続されると、図８に示すように屈曲したリンク機構８７が前記凹部８９に係止して、前記実施形態と同様、固定板４７とスライド板５１が一致して通風口４９、５３が重なるようになっている。
【００４７】
一方、この状態でスロット３５からユニット３３を抜去していくと、凹部８９に係止しているリンク機構８７が図７(c)から図７(b)、図７(a)の如く伸張し、スライド板５１がユニット抜去方向へ移動して、固定板４７側の通風口４９を閉じるようになっている。尚、ユニット３３が抜去されると、スライド板５１はユニット非実装スロット３５の開口部側に移動したままである。
【００４８】
そして、この後、再びスロット内にユニット３３を挿入していくと、既述したように突片９１がスライド板５１の後端側に係止し、ユニット３３-1の移動に伴いリンク機構８７は図７(a)から図７(b)の如く上方へ順次屈曲していくこととなる。
【００４９】
本実施形態に係る冷却風漏出防止構造９３はこのように構成されているから、ユニット非実装スロット３５へのファンからの冷却風の流入が遮断され、ユニット３３-1を抜去したユニット非実装スロット３５の開口部から冷却風が外部に漏れてしまうことがない。
【００５０】
従って、本実施形態によっても、前記各実施形態と同様、所期の目的を達成することが可能で、他のスロット３５に実装されたユニット３３-1の冷却を妨げる虞がなく、また、ユニット３３-1の挿抜に伴い、スライド板５１によって固定板４７の通風口４９が自動的に開閉される結果、ユニット非実装スロット３５からの冷却風漏れを確実に防止することが可能である。
【００５１】
そして、薄肉な固定板４７上に薄肉なスライド板５１をスライド可能に配置した構造上、図１０以下の従来例に比しシェルフ３１が大型化することがなく、また、この従来例に比し構造が極めて簡単で保守に手間がかかることがなく、製造コストも安いといった利点を有する。
【００５２】
尚、前記各実施形態は、ファンユニットをシェルフの下側に装着した場合について説明したが、本発明はファンユニットをシェルフの上部に装着した場合にも適用可能である。
而して、この場合、前記固定板やスライド板はシェルフの上面に装着されることとなる。
【符号の説明】
【００５３】
３１  シェルフ
３３  ユニット
３５  スロット
３７  隔壁
４１  挿通穴
４３  ファンユニット
４５、７７、９３  冷却風漏出防止構造
４７  固定板
４９、５３  通風口
５１  スライド板
５５  ガイド部材
５７  係止片（係止部材）
５９  バックワイヤボード
６１  スプリング
６３  コネクタ
６５  ガイドレール
６７  挟持部材（係止部材）
６９  基台
７１、７３  弾性挟持片
７５  間隔
７９  ヒンジ
８１、８３、８５  ステー
８７  リンク機構
８９  凹部
９１  突片
【図１】
0005670868.tif 000002
【図２】
0005670868.tif 000003
【図３】
0005670868.tif 000004
【図４】
0005670868.tif 000005
【図５】
0005670868.tif 000006
【図６】
0005670868.tif 000007
【図７】
0005670868.tif 000008
【図８】
0005670868.tif 000009
【図９】
0005670868.tif 000010
【図１０】
0005670868.tif 000011
【図１１】
0005670868.tif 000012
【図１２】
0005670868.tif 000013